(57)【特許請求の範囲】
【請求項１】
絶縁体を挾んで平行に配線されたブスバーの上端と下端とに嵌まり合う上部コマと下部コマとを可撓性を有する絶縁物にて形成し、
上記上部コマの下側端と下部コマの上側端それぞれにこれら同士が引掛る係止部を形成し、
上記上部コマ及び下部コマの少なくとも一方に折曲げ部を有し、上記係止部の係止によりこの折曲げ部を内側に撓ませて、この折曲げ部の角が内側にせり出し上記ブスバーに当接して上記ブスバーを固定するように形成したことを特徴とする平行配線保持具。
【請求項２】
上記折曲げ部の角及びこの角に対応する側片の位置に内側に突設した突起を形成し、上記係止部の係止により上記折曲げ部を内側に撓ませて、上記突起が内側にせり出し上記ブスバーに当接して上記ブスバーを固定するように形成したことを特徴とする請求項１記載の平行配線保持具。
【請求項３】
上記係止部はラチェットと受け穴との組合せ、及び面ファスナーのいずれかである請求項１記載の平行配線保持具。
【請求項４】
上記上部コマと下部コマの係止部として面ファスナーを用いた請求項１記載の平行配線保持具。
【発明の詳細な説明】
【０００１】
【発明の属する技術分野】
本発明は、可変速装置などにおいてＮ相とＰ相とのブスバーからなる平行配線の保持具に関する。
【０００２】
【従来の技術】
可変速装置などにおいて、回路に構成要素であるインダクタンス（Ｌ）分による電圧上昇が問題となっており、このための手段として直流回路分にて図６に示すように絶縁紙１を挾んでＮ相のブスバー２ＮとＰ相のブスバー２Ｐとが平行に配線され、磁束を干渉させることによりＬ分を減少させている。
【０００３】
この場合、この平行配線を保持するものとして、従来から図７に示す構造のプラスチック材料の保持具が存在する。この保持具は、上部コマ３と下部コマ４とからなる押えコマをボルト締めすることにより構成され、上部コマ３及び下部コマ４共その中央に、平行配線された絶縁紙１とブスバー２Ｎ，２Ｐの上下端が嵌まる溝３ａ，４ａが形成されており、この溝３ａ，４ａにて絶縁紙１及びブスバー２Ｎ，２Ｐを上下から挾みボルト５にて締め付け固定している。
【０００４】
【発明が解決しようとする課題】
上述の平行なブスバー２Ｎ，２Ｐは、電流容量によってその厚さを変えたり幅を変えたりする必要があり、このため押えコマもそれに応じて溝３ａ，４ａの幅を変え、またボルト５の長さを変える必要がある。
したがって、一つの装置内にあっても電流容量が異なる部分が存在する場合には、数種類の押えコマと異なる長さのボルトを用意する必要がある。
【０００５】
また、少ない種類又は単一種類の押えコマを用いた場合には、図８（ａ）に示すように溝幅ｂ＞バー厚さａという関係が必要であるが、極端に幅ｂが大きいときには図８（ｂ）に示すごとくＮ相ブスバー２ＮとＰ相ブスバー２Ｐとが密接配置できず、絶縁紙１とブスバー２Ｎ，２Ｐとの間に隙間が生じ、このため磁束の干渉によりＬが減少するという効果が得られない場合もある。
【０００６】
また、図８（ｃ）に示すように絶縁距離を確保する必要上押えコマの幅がある程度長く必要でボルト５間の距離が離れている必要がある。
【０００７】
本発明は、上述の問題に鑑み、ブスバーの設計変更に対応できしかも隙間も生じずボルトを無くして絶縁距離を問題としない平行配線保持具の提供を目的とする。
【０００８】
【課題を解決するための手段】
上述の目的を達成する本発明は、次の発明特定事項を有する。
（１）  絶縁体を挾んで平行に配線されたブスバーの上端と下端とに嵌まり合う上部コマと下部コマとを可撓性を有する絶縁物にて形成し、上記上部コマの下側端と下部コマの上側端それぞれにこれら同士が引掛る係止部を形成し、上記上部コマ及び下部コマの少なくとも一方に折曲げ部を有し、上記係止部の係止によりこの折曲げ部を内側に撓ませて、この折曲げ部の角が内側にせり出し上記ブスバーに当接して上記ブスバーを固定するように形成したことを特徴とする。
（２）上記（１）において、上記折曲げ部の角及びこの角に対応する側片の位置に内側に突設した突起を形成し、上記係止部の係止により上記折曲げ部を内側に撓ませて、上記突起が内側にせり出し上記ブスバーに当接して上記ブスバーを固定するように形成したことを特徴とする。
（３）  上記（１）において、上記係止部はラチェットと受け穴との組合せ、及び面ファスナーのいずれかであることを特徴とする。
（４）  上記（１）において、上記上部コマと下部コマの係止部として面ファスナーを用いたことを特徴とする。
【０００９】
押えコマとして上部コマと下部コマとを可撓性を有する絶縁物にて作り、上部コマと下部コマとを互いに係止するようにしたことにより、ブスバーの厚さや上下長さの変更があってもその変更を吸収する係止部と可撓性を備えており、更にはブスバーの設計変更があっても折曲げ部や凸部にても積極的に隙間を無くすようにしており、ボルトを用いることもない。
【００１０】
【発明の実施の形態】
ここで、図１〜図５を参照して本発明の実施の形態について述べる。図１においては、押えコマを構成する上部コマ１０及び下部コマ１１は可撓性を有する絶縁物にて形成されており、このうち、図１（ａ）に示す例にあっては、上部コマ１０の内側は絶縁紙及び平行に配線されたブスバーの上端が嵌まる溝形状を有し、上部コマ１０の下側端は外側に折り曲げられこの折曲げ部１０ａには穴１０ｂが開けられている。この穴１０ｂは後述の下部コマ１１の上側端を挿入してラチェットを係止させるための受けである。
【００１１】
下部コマ１１にもその内側に絶縁紙及び平行配線されたブスバーの下端が嵌まる溝形状を有し、側片１１ａが上方に伸びその上側端外側にラチェット１１ｂが形成されている。
【００１２】
この図１（ａ）に示す押えコマにて平行配線されたブスバーを保持する場合、絶縁紙及びブスバーに下部コマ１１及び上部コマ１０それぞれの内側溝を嵌め合わせ、上部コマ１０の穴１０ｂに下部コマ１１の側片１１ａ上端を挿入して引張ることにより、ブスバーが上部コマ１０、下部コマ１１間に保持される。この場合、ブスバーの幅の変更をみこして下部コマ１１の側片１１ａの長さを予測される程度に長くしておけば良い。また、ブスバーの厚さの変更に当っては厚いブスバーが内側溝形状に嵌め合わせられる上部コマ１０、下部コマ１１の内側溝幅とし、薄いブスバーの場合には穴１０ｂを通した側片１１ａを引張ることにより上部コマ１０の折曲げ部１０ａ角が図１（ｃ）（図１（ｃ）は図１（ｂ）の例であるが）の如く内側にせり出しブスバーに当接してブスバーを固定することになる。
こうして、ブスバーの幅、厚さの変更にも対処することができる。
【００１３】
図１（ｂ）は押えコマの変形例であり、この場合は上部コマ１０及び下部コマ１１を同一形状に形成することができる。すなわち、上部コマ１０及び下部コマ１１の内側溝形状を中心として一側に折曲げ部と穴、他側に側片とラチェットを形成し、上部コマ１０及び下部コマ１１の穴に下部コマ１１及び上部コマ１０の側片のラチェットを通して引張ることにより平行配線されたブスバーを保持することができる。
図１（ｃ）は薄いブスバーを保持する場合、折曲げ部の角がブスバーに当接してこれを固定し保持する様子を示している。このため、ブスバーの厚さに変更があっても対処することができ確実に固定できる。
【００１４】
図２は、ブスバーを保持するための突起１２を上部コマ１０又は下部コマ１１に有する場合の例を示す。なお、図２は図１（ｂ）の例に対応しているが、突起１２を図１（ａ）の折曲げ部１０ａ角などに設けても良い。図２では上部コマ１０の折曲げ部の角及びこの角に対応する側片の位置に内側に突出した突起１２が形成されている。そして、ブスバーをはめ込み折曲げ部の穴に側片を通して引張ることにより突起１２が内側にせり出し、ブスバーに両側から密着する。
【００１５】
図３は、図１、図２に示すラチェットと穴との固定によらずマジックテープ（登録商標：一般名称「面ファスナー」）１３による固定を示している。すなわち、図１（ａ）に示す下部コマと同じ形状のコマを形成し、一方のコマには側片外側にマジックテープ１３を備え、他方のコマには側片内側にマジックテープ１３を備えたものである。この例では、マジックテープを引張ることによりブスバーを確実に保持固定することができる。マジックテープ１３は側片に貼り付けるようにしても良いが側片自体をマジックテープとしてもよい。
【００１６】
図４は図１（ａ）の下部コマのみの組合せあるいは図１（ｂ）に示す構造のコマであって、固定には一方のコマの側片内側に突出させたくびれ突起１４を配列し、他方のコマの側片にこのくびれ突起１４がはまる穴を設け、くびれ突起１４と穴１５との位置組合せによりブスバーを固定するものである。
【００１７】
図５は、押えコマに係止部であるいわゆる耳１６をつけることでその穴からこの押えコマひいては平行配線されたブスバーを保持できる構造を示している。
【００１８】
【発明の効果】
以上説明したように本発明によれば、従来のようにブスバーの設計変更があっても対応できない状態が生ずることなく、可撓性ある絶縁物を引張って止めるだけでねじ止めもなくブスバーを保持でき、組立ての容易性を得ると共にボルトも用いず絶縁距離を問題とする必要もなく、ブスバーの幅変更や厚さの変更にも密着固定が可能となり、部品点数も減る。
【図面の簡単な説明】
【図１】本発明の実施の形態を例示した分解斜視図。
【図２】変形例の構成図。
【図３】マジックテープの例を示す図。
【図４】くびれ突起の例を示す図。
【図５】係止構造例を示す図。
【図６】絶縁紙と平行配線とを示す図。
【図７】従来例の分解斜視図。
【図８】平行配線と下部コマの配置状態を例示する図。
【符号の説明】
１  絶縁紙
２Ｎ，２Ｐ  ブスバー
１０  上部コマ
１０ａ  上部コマの折曲部
１０ｂ  上部コマの穴
１１  下部コマ
１１ａ  下部コマの側片
１１ｂ  下部コマのラチェット
１２  突起
１３  マジックテープ
１４  くびれ突起
【図１】
0003823396.tif 000002
【図２】
0003823396.tif 000003
【図３】
0003823396.tif 000004
【図４】
0003823396.tif 000005
【図５】
0003823396.tif 000006
【図６】
0003823396.tif 000007
【図７】
0003823396.tif 000008
【図８】
0003823396.tif 000009